(57)【特許請求の範囲】
【請求項１】
ドア本体の内部に収容され、且つ、ＬＥＤプレートを備えた照明器具と、
前記照明器具から放射された光が入射され、散乱させて出射させる散乱板と、
前記散乱板から出射される光をその一部に絞るスリット口、このスリット口に進行した光を所定の方向に導くスリット通路及びこのスリット通路を進行した光を屋外側に放射するスリット放射口を備えていることを特徴とするドア。
【請求項２】
前記散乱板から出射される光をその一部に絞って屋内側に放射する開口をさらに備えていることを特徴とする請求項１に記載のドア。
【請求項３】
前記散乱板は、摺板ガラスを備えていることを特徴とする請求項１又は２に記載のドア。
【請求項４】
前記照明器具の照明面が前記散乱板に対向する位置と前記スリット口が前記散乱板に対向する位置とが一致していないことを特徴とする請求項１に記載のドア。
【請求項５】
前記スリット通路が傾斜していることを特徴とする請求項１に記載のドア。
【請求項６】
ＬＥＤプレートを備えた照明器具と、この照明器具を取り付けると共に、その照射面を屋内側から屋外側に向けて外を照らす向きに配置する取付形材と、前記照射面に対向する拡散板が、ドア本体の下力骨に配置されていることを特徴とするドア。
【請求項７】
ＬＥＤプレートを備えた照明器具と、この照明器具を取り付けると共に、その照明器具の照射光を反射させる反射面を備え、且つ、その反射面より放射される光を生成する形材が、ドア本体の下力骨に配置されていることを特徴とするドア。
【請求項８】
反射面より放射される光を生成する形材が、ドアの額縁にさらに配置されることを特徴とする請求項７に記載のドア。
【発明の詳細な説明】
【技術分野】
【０００１】
本願発明は、発光手段としてのＬＥＤ（発光ダイオード：ｌｉｇｈｔ  ｅｍｉｔｔｉｎｇ  ｄｉｏｄｅ）プレートからなる照明器具が内蔵されているドアに関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取り付け、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
出願人は、建材に引き続き、建具としてのドアに前記照明器具を適用することを検討している。
建具の浴室ドア等に、前記ＬＥＤプレートと同じく、発光手段として発光ダイオードを用い、ドアの面材をライトアップする構成が特許文献２に開示されている。
同文献２の段落００１７には「図１〜図３に示すように、框組体２３における面材２４よりも面外方向他側寄りに発光ダイオード４を、面材２４の面外方向他側面２４ａと対向して設け、この発光ダイオード４で面材２４の面外方向他側面２４ａを照明するようにしてある・・・」旨が記載されている。
また同文献２の段落００１８では「このようにすることで、建具を面外方向一側方（室５）から見ると、その面材２４の面外方向一側面２４ｂが明るくライトアップされて装飾された外観となる・・・発光ダイオード４の光を直接見るのではなく、面材２４を透して見るので、やさしい感じとなるから、癒やしの効果がより優れたものにできる」旨が記載されている。
【先行技術文献】
【特許文献】
【０００４】
【特許文献１】特開２０１３−１０５６１１号公報
【特許文献２】特開２００７−３２１３４４号公報
【発明の概要】
【発明が解決しようとする課題】
【０００５】
同文献２に開示されている従来技術の課題を指摘すれば、次のようである。
発光ダイオード４の光の性質、例えばその指向特性から面材２４に発光ダイオード４の光源の斑点模様が強く現れるおそれがあること、そのため建具の外観の装飾効果にも限界があること、建具に発光ダイオードを適用する場合には  建具の機能に応じて装飾効果に加えて、それ以外の効果が奏されることが望ましいこと等である。
【０００６】
そこで、出願人は、発光ダイオードの光源の斑点模様が視認されることを防止すると共に、その照射光に変化を与えて、ドアの外観の装飾効果を高め、さらに装飾効果以外の効果に広げることができる照明器具を備えたドアを提供することを目的とする。
【課題を解決するための手段】
【０００７】
上記課題を解決するため、本願発明は、ドア本体の内部に収容され、且つ、ＬＥＤプレートを備えた照明器具と、前記照明器具から放射された光が入射され、散乱させて出射させる散乱板と、前記散乱板から出射される光をその一部に絞るスリット口、このスリット口に進行した光を所定の方向に導くスリット通路及びこのスリット通路を進行した光を室外側に放射するスリット放射口を備えていることを特徴とするドアとした（請求項１に記載の発明）。
【０００８】
上記発明において、前記散乱板から出射される光をその一部に絞って屋内側に放射する開口をさらに備えていることを特徴とするドアとした（請求項２に記載の発明）。
【０００９】
上記各発明において、前記散乱板は、摺板ガラスを備えていることを特徴とするドアとした（請求項３に記載の発明）。
【００１０】
上記発明において、前記照明器具の照明面が前記散乱板に対向する位置と前記スリット口が前記散乱板に対向する位置とが一致していないことを特徴とするドアとした（請求項４に記載の発明）。
【００１１】
上記発明において、前記スリット通路が傾斜していることを特徴とするドアとした（請求項５に記載の発明）。
【００１２】
上記課題を解決するため、ＬＥＤプレートを備えた照明器具と、この照明器具を取り付けると共に、その照射面を屋内側から屋外側に向けて外を照らす向きに配置する取付形材と、前記照射面に対向する拡散板が、ドア本体の下力骨に配置されていることを特徴とするドアとした（請求項６に記載の発明）。
【００１３】
上記課題を解決するため、ＬＥＤプレートを備えた照明器具と、この照明器具を取り付けると共に、その照明器具の照射光を反射させる反射面を備え、且つ、その反射面より放射される光を生成する形材が、ドア本体の下力骨に配置されていることを特徴とするドアとした（請求項７に記載の発明）。
【００１４】
上記発明において、反射面より放射される光を生成する形材が、ドアの額縁にさらに配置されることを特徴とするドアとした（請求項８に記載の発明）。
【発明の効果】
【００１５】
本願発明によれば、前記散乱板を用いることで、発光ダイオードの光源の斑点模様が視認されることを防止すると共に、前記照明器具の照射光に変化を与えて、ドアの外観の装飾効果を高め、さらに装飾効果以外の効果を奏することができる。
また、前記反射面より放射される光を生成する形材を用いることで、発光ダイオードの光源の斑点模様が視認されることを防止すると共に、前記照明器具の照射光に変化を与えて、ドアの外観の装飾効果を高め、さらに装飾効果以外の効果を奏することができる。
さらに、前記拡散板により、光源としてのＬＥＤプレートの斑点模様が更に見え難くすることができる。
【図面の簡単な説明】
【００１６】
【図１】照明器具が内蔵されているドアの正面図、
【図２】同ドアの裏面図、
【図３】同ドアの縦断面図、
【図４】同ドアの下部の要部縦断面図、
【図５】同ドアの左側部の要部横断面図、
【図６】同ドアのドア本体の照明器具に対する配線経路を示すドア本体の裏面図、
【図７】同ドアの右側部の要部横断面図、
【図８】照明器具を備えた形材の斜視図、
【図９】同形材の横断面図、
【図１０】別例に係る形材の横断面図、
【図１１】別例に係る形材の横断面図である。
【発明を実施するための形態】
【００１７】
本願発明に係る照明器具を備えたドアの照明は、照明器具２の位置により、図１及び図２に図示されているように、ドア本体表側の照明Ｓ１、ドア本体裏側の照明Ｓ２、ドア本体下部の照明Ｓ３、ドア本体取手の照明Ｓ４、ドアの額縁の照明Ｓ５及びドアのダウンライトの照明Ｓ６のように区分され、構成されている。
なお、これらの各照明において、各実施形態の各構成に共通する構成は、共通する用語を用い、且つ、各図において略同一に図示すると共に、必要に応じて同一の符号で示すことで、詳細な説明は省略する。
【００１８】
ドア本体表側の照明Ｓ１
ドア本体表側の照明Ｓ１（以下、単に照明Ｓ１とも称する）は、来訪者等の視線が集中するドア本体１の屋外側に臨む表面１０を照明するものである。
この照明Ｓ１は、図３のように、ドア本体１の内部に収容され、且つ、ＬＥＤプレート２０を備えた照明器具２と、前記照明器具２から放射された光が入射され、散乱させて出射させる散乱板としての複層ガラス３と、前記複層ガラス３から出射される光をその一部に絞るスリット口４０、このスリット口４０に進行した光を所定の方向として斜め下の方向に導くスリット通路４１及びこのスリット通路４１を進行した光を屋外側に放射するスリット放射口４２から構成される。
【００１９】
前記照明器具２は、図８及び図９に示したようにＬＥＤプレート２０を配置するアルミ形材の本体２１と、ＬＥＤプレート２０を本体２１に押し付ける線材２２と、本体２１の端部まで充填されるコーティング材２３から形成されている。
【００２０】
前記ＬＥＤプレート２０は、ＬＥＤチップを電極パターンが描かれた基板に直接配置したモジュールから構成される。具体的には、ＬＥＤプレート２０は、例えば配線パターン及びアンカー部が形成される基板２００と、前記配線パターン上に施される補助メッキ及び金メッキを介して電極が接続されるＬＥＤチップ２０１からなる。ここにＬＥＤチップ２０１は、単一の発光色のもの、赤色、緑色及び青色に発光する各チップを並べたマルチタイプのもの等がある。前記ＬＥＤチップ２０１の周囲には、レンズ状（凸状）のコーティング層２０２が形成されている。
【００２１】
以上のように構成される前記照明器具２は、１２チップ、１６チップ又は２０チップ等で必要に応じて任意のチップ数を単位に構成され、前記照明器具２は基盤連結部（図示せず）を介して、長尺状に接続できるようになっている。
【００２２】
前記照明器具２は、図３のように、第１の取付板５０、５０にそれぞれ対となって取り付けられる第２の取付板５１、５１を介して固定されている。
前記第１の取付板５０、５０は、前記複層ガラス３を収納するドア本体１のスペース部１１に固定されるもので、このスペース部１１は、ドア本体１の横幅に沿って設けられ、前記第１の取付板５０、５０は、そのスペース部１１の上縁又は下縁に沿って、それぞれ長尺状に、且つ、その断面形状が略Ｌ字に形成されている。
前記第２の取付板５１、５１は、前記スペース部１１の屋内側を塞ぐと共に、屋内側の開口１３を形成するもので、前記第１の取付板５０、５０と同様に長尺状に形成され、第１の取付板５０の端部にそれぞれ固定されている。
前記第２の取付板５１が前記複層ガラス３に対向する位置には、前記照明器具２の本体２１に形成されている係合ヒレ２５（図９参照）をスライドさせて固定できる係合溝５２が形成され、この係合溝５２に取付られる前記照明器具２の照射面２４が前記複層ガラス３に対面できるようになっている。
【００２３】
前記係合溝５２は、図３に図示されているように前記複層ガラス３の上部及び下部に対応する位置に形成されており、前記複層ガラス３の上部に対応する位置のみに前記照明器具２を配置し、前記複層ガラス３の下部に対応する位置のみに前記照明器具２を配置し、又は前記複層ガラス３の上下部に対応する位置に前記照明器具２を配置できる。
なお、前記第２の取付板５１、５１は、図３に図示されているように、前記複層ガラス３を支持する押縁となっている。
【００２４】
前記複層ガラス３は、前記スペース部１１に沿うように、横長のもので、その複層ガラス３を構成するガラス板は、少なくとも一枚が「摺板ガラス」で構成されている。
前記照明器具２からの照射光は、光の進路に関する法則に従い、空気とガラス板（室内側）の境界面に到達すると、その一部は反射され、残りの光は屈折されてガラス板内を進み、ガラス板（室外側）と空気との境界面において全反射する光を除き、屈折光として放射される。
この場合、ガラス板が「摺板ガラス」であることから、フロート板ガラスの片面が金剛砂と金剛ブラシにより凹凸面が形成されているので、その境界面において、光が乱反射されたり、光が不規則に拡散され、散乱されて放射される。
よって、前記照明器具２のＬＥＤチップ２０１の光が照射面２４に表れる斑点模様が視認されずに、柔らかな光として放射されるようになっている。
【００２５】
前記散乱板としての前記複層ガラス３は、その２枚とも「摺板ガラス」でもよいし、また前記散乱板として光を不規則に反射させたり、放射させることができる構成であれば、前記複層ガラス３に限定されることはなく、例えば、アクリル樹脂等のプラスチックでもよい。
【００２６】
前記スリット口４０、前記スリット通路４１及び前記スリット放射口４２は、前記ドア本体１の表面１０を構成する上下の板材４３、４４及びその間の複数の中間板材４５により形成されている。
前記上板材４３及び中間板材４５の下端並びに下板材４４及び中間板材４５の上端には、図３に図示されているように、屋外側から屋内側に向って上方に傾斜する傾斜面４６、４７が形成されている。
これらの傾斜面４６、４７が、略平行に、且つ、対面するように各板材４３〜４５がドア本体１の力骨に固定されることで、ドア本体１の横幅に沿って、屋内側に前記スリット口４０が、屋外側に前記スリット放射口４２が、その間に前記スリット通路４１がそれぞれ形成される。
前記傾斜面４７に、光を反射させ易くする反射板４８を取付けてもよい。
【００２７】
以上のような構成において、前記照明器具２の照明面２４が複層ガラス３に対向する位置は、前記スリット口４０が複層ガラス３に対向する位置よりも上方にずれており、また前記スリット通路４１が屋内側から屋外側に下向きに傾斜している。
よって、前記スリット放射口４２からは前記照明面２４が見え難く、更に斑点模様が解消されると共に、柔らかい光が放射されるようになっている。また前記スリット放射口４２から工具が入れられて、前記複層ガラス３が破損されたり、ドアが開錠されることが防止され、防犯性を高めることができる。さらに、来訪者等の視野に入る前記スリット放射口４２が幅狭であっても、光が回析されるように拡がって放射されるようになっている。
【００２８】
前記スリット通路４１の方向は、屋外側から屋内側に向って上方に傾斜する場合の他、屋外側から屋内側に向って下方に傾斜する場合、屋外側から屋内側に水平状に構成してもよい。これらの場合も、前記照明器具２の照明面２４が複層ガラス３に対向する位置と前記スリット口４０が複層ガラス３に対向する位置とをずらして、一致させないようにする。
【００２９】
以上のように構成されたドア本体表側の照明Ｓ１の作用効果を纏めれば次のようである。
（１）  前記複層ガラス３により、前記照射面２４に表れる斑点模様が視認されずに、柔らかな光として放射され、スリット放射口４２からは前記照明面２４が見え難く、更に斑点模様が解消され、装飾効果が発揮される。
（２）  前記スリット放射口４２から工具が入れられて、前記複層ガラス３が破損されたり、ドアが開錠されることが防止され、防犯性を高めることができる。
（３）  来訪者等の視野に入る前記スリット放射口４２が幅狭であっても、光が回析されるように拡がって放射される。
（４）  前記スリット放射口４２から光が見えると、来訪者等に在宅していると認識させ易い。即ち、前記スリット放射口４２からの光は、屋内側からの照明のように認識させ易く、犯行を防止できることが期待される。
【００３０】
ドア本体裏側の照明Ｓ２
ドア本体裏側の照明Ｓ２（以下、単に照明Ｓ２とも称する）は、居住者等の利便を図り、またドアの装飾効果を高めるために、屋内に臨むドア本体１の裏面１２を照明させるものである。
この照明Ｓ２は、図２及び図３のように、前記照明器具２と、この照明器具２から放射された光が入射され、散乱させて反射させる前記複層ガラス３と、この複層ガラス３から出射される光をその一部に絞って屋内側に放射する前記開口１３から構成されている。
【００３１】
この照明Ｓ２においては、前記照明器具２からの照射光は、前記複層ガラス３の屋内側のガラス板で屈折された後、屋外側のガラス板で反射されて、再び屋内側のガラス板を屈折して通過し、前記開口１３を介して屋内側に放射される。
【００３２】
前記照明Ｓ２によれば、上記（１）と同様、前記複層ガラス３により、前記照射面２４に表れる斑点模様が視認されずに、柔らかな光として放射され、前記開口１３からは前記照明面２４が見え難く、更に斑点模様が解消され、装飾効果が発揮される。
【００３３】
ドア本体下部の照明Ｓ３
ドア本体１の下部の照明Ｓ３（以下、単に照明Ｓ３とも称する）は、来訪者等にドア本体１の下端から屋外側を照射して、足元の安全を図り、またドアの装飾効果を高めるものである。
この照明Ｓ３は、図３のように前記照明器具２と、この照明器具２を取付るために、ドア本体１の下力骨１４に沿って固定されている長尺状の取付形材６を備え、この取付形材６は前記照明器具２の照射面２４を屋内側から屋外側に向けて外を照らす向きに配置すると共に、前記照射面２４に対向する拡散板７を配置してなる。前記拡散板７は前記照明器具２の照射光を拡散させるもので、詳細は後述する。
【００３４】
ドア本体１の下力骨１４の屋外側の端部が、ドアを閉鎖した状態で、下枠１７の屋外側の端部よりも、屋外側に飛び出しており、且つ、その下力骨１４の屋外側の端部は、屋内側の端部よりも高さ寸法が小さく形成されている。また、照明装置２は屋内側から屋外側に向けて外を照らす向きに配置してある。
よって、前記拡散板７から出射される光は、下力骨１４より屋外側の範囲を照射できるようなっている。
【００３５】
前記取付形材６に変えて、図８のような形材８に前記照明器具２を取付てもよい。
前記形材８は、図８及び図９に図示するように、前記照明器具２の照射光を反射させる反射面８０を備えると共に、湾曲面の前記反射面８０に照明器具２の照射面２４を対向させ、その湾曲面の一端側８１に前記照明器具２を取付る取付部８２及び形材８をＬＥＤ組込スペース部８６（後述）に取り付けるための一端側係止部８３を備え、その湾曲面の他端側８４に他端側係止部８５を備えている。
【００３６】
前記反射面８０は、形材８の一端側８１に位置される照明器具２の照射面２４に対し、全範囲に亘って、前記照射面２４の照射光を反射させること（以下、本書において全反射と称する）を想定して形成されている。
本実施形態では、反射面８０は、前記一端側８１から、順次、照射面２４から照射される光を反射させる傾斜面８００と、照射面２４と略平行に形成され、照射面２４から照射される光を反射させる平面８０１と、平面８０１から他端側８４にかけて湾曲する曲面８０２とを備えている。
【００３７】
前記取付部８２は、前記照明器具２を収容する略コ字状の収容枠８２０と、その収容枠８２０の内側に、照明器具２の係合ヒレ２５、２５をスライドさせるスライド部８２１を備えている。
【００３８】
前記収容枠８２０は、前記反射面８０に前記照射面２４を対向できるように構成されているので、光源としてのＬＥＤプレート２０が見え難くなっており、前記照明器具２を間接照明形とすることができる。
【００３９】
前記一端側係止部８３は、前記収容枠８２０から照射面２４に対して略垂直に延在すると共に、その端部が前記平面８０１の底面と略同一の位置にて、その方向に屈曲されて形成されている。
【００４０】
前記他端側係止部８５は、前記曲面８０２の終端に、且つ、前記一端側係止部８３と略平行に延在して形成されている。
【００４１】
前記形材８を用いる場合には、前記ＬＥＤ組込スペース部８６（図４参照）に形材８を組み込むことで、前記照明Ｓ３が構成される。
この場合の前記照明Ｓ３の作用効果は、前記形材８により、次の作用効果を奏することができる。
（５）  前記形材８はアミル形材からなるもので、前記反射面８０により、柔らかな光沢の光が生成され、柔らかな光の演出が可能となって、形材８を光学的手段の金属鏡として機能させることができる。
（６）  前記形材８の収容枠８２０は、前記反射面８０に前記照射面２４が対向するように構成されているので、光源としてのＬＥＤプレート２０が見え難くなっており、前記照明器具２を間接照明形とすることができる。
（７）  前記形材８の前記反射面８０により、前記照明器具２の照射光は、反射面８０の全範囲に亘って反射されて、その反射面８０より光源である照明器具２の後方向（例えば、図９において紙面の上側）に放射されるように制御される。
【００４２】
前記取付形材６に変えて、図１０及び図１１のように、前記形材８に拡散板７を取付けて構成される、別例の形材８Ａ及び形材８Ｂを用いてもよい。
【００４３】
前記形材８Ａに取り付けられる拡散板７は、図１０のように、前記照明器具２の照射光を前記反射面８０の第１の面（第１面）８０３により反射される光が通過し、且つ、その通過した光が前記反射面８０の第２の面（第２面）８０４より反射され、放射される位置に配置されている。
即ち、前記拡散板７は、その長手方向の端縁が前記形材８Ａのスライド部８２１の外側に形成される取付凹部８２２に、他方の長手方向の端縁が前記反射面８０の前記平面８０１を略半分に分ける境界線上に形成される取付溝部８２３に、それぞれ位置されている。
【００４４】
前記拡散板７は、前記形材８Ａに沿って長尺状に形成され、上述のように長手方向の各端縁が前記取付凹部８２２と前記取付溝部８２３にスライドされて配置されている。
前記拡散板７は入射した光束が拡散されて放射されるものであればよく、例えば商品名「カーボグラスＤＥＦＲ」（カ−ボグラス＼ＣＡＲＢＯＧＬＡＳＳは旭硝子株式会社の所有に係る登録商標）を用いる。
【００４５】
前記取付凹部８２２は、その開口が前記反射面８０に対向するもので、前記形材８Ａの長手方向に沿って連続的に成形してもよいし、また所定間隔毎に離隔的に成形してもよい。
【００４６】
前記取付溝部８２３は、前記平面８０１に対して前記拡散板７を略直角に配置できる位置に形成され、且つ、前記形材８Ａの長手方向に沿って連続的に形成されている。
前記拡散板７を配置する場合の前記反射面８０に対する第１面８０３及び第２面８０４の按分は、上記構成に限定されるものではなく、前記反射面８０の領域内で任意に按分することができる。
なお、前記形材８Ａは、前記取付溝部８２３の左右に亘って、前記平面８０１から前記曲面８０２の一部にかけて、肉厚に形成されて補強されている。
【００４７】
以上のように構成される前記形材８Ａにおいては、前記照明器具２から放射される光は、前記第１面８０３の傾斜面８００及び前記拡散板７の内側（図１０において紙面の上側）の前記平面８０１に反射されて前記拡散板７を通過して拡散される。拡散される光は、第２面８０４の前記拡散板７より外側（図１０において紙面の下側）の前記平面８０１に反射されたり前記曲面８０２に反射されて、放射され、或は前記第２面８０４で反射されずに、そのまま放射される。
【００４８】
前記形材８Ａを用いる場合の前記照明Ｓ３は、図４のように前記照明器具２を備えた形材８Ａを取付るために、ドア本体１の下力骨１４に形成されているＬＥＤ組込スペース部８６に、前記形材８Ａが組み込まれて構成されている。
係る構成では、ドア本体１の下力骨１４の屋外側の端部が、ドアを閉鎖した状態で、下枠１７の屋外側の端部よりも、屋外側に飛び出しており、且つ、その下力骨１４の屋外側の端部と、屋内側の端部とは略同一との高さ寸法に形成されている。
よって、前記拡散板７から出射される光は、下力骨１４の下側の範囲を照射できるようなっている。
また、前記形材８Ａを用いる場合の前記照明Ｓ３の作用効果として、次の作用効果を付加させることができる。
【００４９】
（８）  前記反射面８０の第１面８０３により反射される光が、前記拡散板７により拡散された後、そのまま放射されたり、前記第２面８０４により反射されて放射されることから、前記形材８とは別種の柔らかな光沢の光が生成される。
（９）  前記拡散板７により、光源としてのＬＥＤプレート２０の斑点模様が更に見え難くなっており、前記照明器具２を間接照明形とすることができる。
【００５０】
次に、図１１に基づき、前記形材８に拡散板７を取付けて構成される別例の形材８Ｂの実施形態を説明する。
図１１に示した前記形材８Ｂの前記拡散板７は、前記反射面８０より反射される光が通過し、そのまま放射される位置に配置されている。
即ち、前記拡散板７は、その長手方向の端縁が前記スライド部８２１の外側（図１１において紙面の下側）に形成されている取付凹部８２４に、他方の長手方向の端縁が前記他端側８４の他端側係止部８５の内側（図１１において紙面の上側）に形成される取付凹部８２５に、それぞれ配置されている。
【００５１】
前記取付凹部８２４は、その開口が前記他端側８４に対向し、一方、前記取付凹部８２５の開口は、前記取付凹部８２４の開口に対向するもので、それぞれ前記形材８の長手方向に沿って連続的に成形してもよいし、また所定間隔毎に離隔的に成形してもよい。
【００５２】
よって、前記拡散板７は前記反射面８０を閉鎖するように配置され、且つ各取付凹部８２４と同８２５にスライド可能に配置されている。
【００５３】
以上のように構成される前記形材８Ｂにおいては、前記照明器具２の照射光は、前記反射面８０に反射されて、すべて前記拡散板７を通過して拡散される。
【００５４】
前記形材８Ｂを用いる場合の前記照明Ｓ３の作用効果として、次の作用効果を付加させることができる。
（１０）  前記拡散板７から拡散される光は、前記反射面８０により反射される光であることから、前記形材８Ａが生成する光よりも更に柔らかな光となっている。
【００５５】
なお、前記ＬＥＤ組込スペース部８６に前記形材８、前記形材８Ａ又は前記形材８Ｂを組み込む場合には、前記ＬＥＤ組込スペース部８６の受溝８６１（図４参照）に入り込ませた前記形材８等の他端側係止部８５を支点として、前記ＬＥＤ組込スペース部８６の受片８６２（図４参照）に前記形材８等の一端側係止部８３を係止させた後に、ビード（ゴムビード）、ゴムパッキン等の弾性材８６３（図４参照）を押し込む。
かかる前記形材８等の組込構造は、前記下力骨１４から前記形材８等を取外すことができることとなり、前記形材８等のメンテナンスとして、例えば前記照明器具２の交換等が容易にできるようになっている。
【００５６】
ドア本体取手の照明Ｓ４
ドア本体取手の照明Ｓ４（以下、単に照明Ｓ４とも称する）は、来訪者等がドアの開閉を操作する場合に、その取手の存在及び位置を認識し易くし、また取手を光により浮き上がらせる装飾効果を発揮させるものである。
この照明Ｓ４は、前記照明器具２と、この照明器具２を取り付けるために取手１５の裏面に形成される取付ヒレ１５０からになる。
なお、照明Ｓ４に来訪者等を感知するセンサーを設けて、前記照明器具２を動作させるようにしてもよい。
【００５７】
以上のように前記照明Ｓ１、前記照明Ｓ２、前記照明Ｓ３及び前記照明Ｓ４の各照明器具２に対する配線は、図６のように、照明Ｓ１及び照明Ｓ２については、ドア本体１のたて枠を介してラインＬ１により、照明Ｓ３についてはたて枠を介してラインＬ２により、照明Ｓ４についてはドア本体１のたて枠及び上枠を介してラインＬ３により、それぞれ商用電源（図示せず）に接続されている。
【００５８】
ドアの額縁の照明Ｓ５
ドアの額縁の照明Ｓ５（以下、単に照明Ｓ５とも称する）は、居住者等の利便のために、またドアの装飾効果を高めに、ドア本体１の裏面１２の周囲に設けられた額縁９に設けられるものである。
この照明Ｓ５は、図３、図５及び図７に図示するように、前記照明器具２と、この照明器具２を取付ける前記形材８、前記形材８Ａ又は前記形材８Ｂと、これらの前記形材８、前記形材８Ａ又は前記形材８Ｂを取り付けるために、前記額縁９に形成されているＬＥＤ組込スペース部９０と、前記照明器具２の照射光を拡散させる前記拡散板７からなる。
この照明Ｓ５においても、照明Ｓ３と同様の作用効果を奏することができる。
【００５９】
ドアのダウンライトの照明Ｓ６
ドアのダウンライトの照明Ｓ６（以下、単に照明Ｓ６とも称する）は、来訪者等にドアの上部から屋外側を照射して、足元の安全を図り、またドアの装飾効果を高めるためるものである。
この照明Ｓ６は、図３に図示するように、前記照明器具２と、この照明器具２を取付るために、ドアの上枠に取り付けられた上化粧カバー１６に沿って固定されている長尺状の取付形材６０、この取付形材６０に取り付けられ、且つ、照明器具２の照射光を拡散させる拡散板７からなる。
なお、照明Ｓ６においても、来訪者等を感知するセンサーを設けて、前記照明器具２を動作させるようにしてもよい。
【００６０】
本発明は、以上説明した実施形態に限定されるものではなく、多くの変形が本発明の技術的思想内で当分野において、通常の知識を有する者により可能である。
【符号の説明】
【００６１】
１  ドア本体                            １０  表面
１１  スペース部                        １２  裏面
１３  開口                              １４  下力骨
１５  取手                              １６  上化粧カバー
１７  下枠
２  照明器具
２０  ＬＥＤプレート
２１  アルミ形材の本体
２２  線材
２３  コーティング材
２４  照射面
２５  係合ヒレ
２００  基板                            ２０１  ＬＥＤチップ
２０２  コーティング層
３  複層ガラス
４０  スリット口
４１  スリット通路
４２  スリット放射口
４３〜４５  板材
４６  ４７  傾斜面
４８  反射板
５０  第１の取付板
５１  第２の取付板
５２  係合溝
６  ６０  取付形材
７  拡散板
８  ８Ａ  ８Ｂ  形材
８０  反射面
８１  一端側                            ８２  取付部
８３  一端側係止部                      ８４  他端側
８５  他端側係止部
８００  傾斜面                          ８０１  平面
８０２  曲面                            ８０３  第１面
８０４  第２面
８２０  収容枠
８２１  スライド部
８２２  ８２４  ８２５  取付凹部        ８２３  取付溝部
８６  ＬＥＤ組込スペース部              ８６１  受溝
８６２  受片                            ８６３  弾性材
９  額縁                                ９０  ＬＥＤ組込スペース部
Ｓ１  ドア本体表側の照明                Ｓ２  ドア本体裏側の照明
Ｓ３  ドア本体下部の照明                Ｓ４  ドア本体取手の照明
Ｓ５  ドアの額縁の照明
Ｓ６  ドアのダウンライトの照明
【図１】
0006663679.tif 000002
【図２】
0006663679.tif 000003
【図３】
0006663679.tif 000004
【図４】
0006663679.tif 000005
【図５】
0006663679.tif 000006
【図６】
0006663679.tif 000007
【図７】
0006663679.tif 000008
【図８】
0006663679.tif 000009
【図９】
0006663679.tif 000010
【図１０】
0006663679.tif 000011
【図１１】
0006663679.tif 000012